【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
ネットワークに接続され、少なくとも一つの他の中継装置との間で前記ネットワークを冗長化する中継装置において、
前記ネットワークとの間でパケットを送受信する複数のネットワークインタフェース部と、
前記ネットワークインタフェース部のいずれかが受信したパケットの中継先を決定し、前記ネットワークインタフェース部のいずれかへ前記パケットを転送するパケット転送部と、
前記冗長化の関係を管理する冗長化管理テーブルと、
前記ネットワークの冗長化に用いる冗長化プロトコルを管理するプロトコル制御部と、
前記ネットワークインタフェース部及び前記パケット転送部のうち少なくとも一の電力状態を制御する電力状態制御部と、を備え、
前記ネットワークインタフェース部及び前記パケット転送部の少なくとも一方は、消費電力が異なる複数の電力状態に制御可能な電力状態制御対象であり、前記消費電力が大きいほど転送性能が大きく、前記消費電力が小さいほど前記転送性能が小さく、
前記プロトコル制御部は、前記冗長化管理テーブルを参照し、前記中継装置を、実際に前記パケットを中継するマスタ中継装置として動作させるか、前記パケットを中継しないバックアップ中継装置として動作させるか、を決定し、
前記電力状態制御部は、前記中継装置を前記マスタ中継装置として動作させると決定され、前記電力状態制御対象の少なくとも一つの電力状態が変更された場合、前記バックアップ中継装置となる前記他の中継装置の電力状態を変更させるために、前記変更後の電力状態制御対象の転送性能を含む転送性能通知を前記他の中継装置に送信し、
前記電力状態制御部は、前記中継装置が前記バックアップ中継装置として動作すると決定され、前記マスタ中継装置となる他の中継装置から前記転送性能通知を受信した場合、前記受信した転送性能通知に含まれる前記転送性能を満たすように、前記電力状態制御対象の電力状態を変更することを特徴とする中継装置。
【請求項２】
請求項１に記載の中継装置であって、
前記冗長化プロトコルはＶＲＲＰであり、
前記中継装置及び前記他の中継装置には、ＩＰアドレスが付与されるインタフェース単位で仮想中継装置が設定され、
前記中継装置に設定された仮想中継装置と前記他の中継装置に設定された仮想中継装置との間で前記ネットワークが冗長化され、
前記冗長化管理テーブルは、前記ネットワークを冗長化する仮想中継装置に設定された優先度を含み、
前記プロトコル制御部は、
前記冗長化管理テーブルの前記優先度に基づいて、前記中継装置を前記マスタ中継装置として動作させるか、前記バックアップ中継装置として動作させるか、を決定し、
前記中継装置を前記マスタ中継装置として動作させると決定された場合、前記中継装置の仮想中継装置を、実際に前記パケットを中継するように設定し、
前記中継装置を前記バックアップ中継装置として動作させると決定された場合、前記中継装置の仮想中継装置を、前記パケットを中継しないように設定することを特徴とする中継装置。
【請求項３】
請求項１に記載の中継装置であって、
前記電力状態制御部は、
前記中継装置を前記マスタ中継装置として動作させると決定され、前記電力状態制御対象の少なくとも一つの電力状態が変更された場合、変更後の前記電力状態制御対象の電力状態に基づいて、前記変更後の電力状態制御対象の転送性能の合計値を算出し、
前記算出した合計値、及び、前記バックアップ中継装置として動作する前記他の中継装置における前記転送性能の割り当てるための割当方式を含む前記転送性能通知を、前記他の中継装置に送信し、
前記割当方式には、前記電力状態制御対象に前記転送性能を均等に割り当てる第１方式と、特定の前記電力状態制御対象から優先的に前記転送性能を割り当てる第２方式と、があり、
前記転送性能通知に含まれる割当方式は、前記第１方式又は前記第２方式であり、
前記電力状態制御部は、
前記中継装置を前記バックアップ中継装置として動作させると決定され、前記他の中継装置から前記合計値及び前記割当方式を含む前記転送性能通知を通知された場合、前記転送性能通知に含まれる割当方式が前記第１方式であるか前記第２方式であるかを判定し、
前記転送性能通知に含まれる割当方式が前記第１方式であると判定された場合、前記転送性能通知に含まれる前記転送性能の合計値が、前記電力状態制御対象に均等に分配されるように、前記電力状態制御対象の電力状態を変更し、
前記転送性能通知に含まれる割当方式が前記第２方式であると判定された場合、前記転送性能通知に含まれる前記転送性能の合計値が、特定の前記電力状態制御対象から優先的に分配されるように、前記電力状態制御対象の電力状態を変更することを特徴とする中継装置。
【請求項４】
請求項１に記載の中継装置であって、
前記中継装置は二つ以上の他の中継装置との間で前記ネットワークを冗長化し、
前記冗長化プロトコルはＶＲＲＰであり、
前記中継装置及び前記他の中継装置には、ＩＰアドレスが付与されるインタフェース単位で仮想中継装置が設定され、
前記中継装置に設定された仮想中継装置と前記他の中継装置に設定された仮想中継装置との間で前記ネットワークが冗長化され、
前記冗長化管理テーブルは、前記ネットワークを冗長化する仮想中継装置に設定された優先度を含み、
前記プロトコル制御部は、
前記冗長化管理テーブルを参照し、前記各中継装置の仮想ルータの優先度の合計値を算出し、
自身を有する中継装置の合計値が最大である場合、当該中継装置を前記マスタ中継装置として動作させると決定し、
前記自身を有する中継装置の合計値が二番目に大きい場合、当該中継装置を前記バックアップ中継装置として動作させると決定し、
前記自身を有する中継装置の合計値が三番目以下である場合、当該中継装置を予備バックアップ中継装置として動作させると決定し、
前記電力状態制御部は、前記中継装置を前記予備バックアップ中継装置として動作させると決定された場合、前記中継装置の前記電力状態制御対象の電力状態を、消費電力が最小の電力状態に設定することを特徴とする中継装置。
【請求項５】
請求項１に記載の中継装置であって、
前記冗長化プロトコルはＶＲＲＰであり、
前記電力状態制御部は、前記中継装置を前記マスタ中継装置として動作させると決定され、前記電力状態制御対象の少なくとも一つの電力状態が変更された場合、前記マスタ中継装置が前記バックアップ中継装置に所定時間毎に送信するＶＲＲＰパケットのフォーマットを用いて、前記転送性能通知を前記他の中継装置に送信することを特徴とする中継装置。
【請求項６】
ネットワークに接続され、少なくとも一つの他の中継装置との間で前記ネットワークを冗長化する中継装置で実行される前記中継装置の電力状態の制御方法であって、
前記中継装置は、
前記ネットワークとの間でパケットを送受信する複数のネットワークインタフェース部と、
前記ネットワークインタフェース部のいずれかが受信したパケットに基づいて中継先を決定し、前記ネットワークインタフェース部のいずれかへ前記パケットを転送するパケット転送部と、
前記冗長化の関係を管理する冗長化管理テーブルと、を有し、
前記ネットワークインタフェース部及び前記パケット転送部の少なくとも一方は、消費電力が異なる複数の電力状態に制御可能な電力状態制御対象であり、前記消費電力が大きいほど転送性能が大きく、前記消費電力が小さいほど前記転送性能が小さく、
前記方法は、
前記冗長化管理テーブルを参照し、前記中継装置を、実際に前記パケットを中継するマスタ中継装置として動作させるか、前記パケットを中継しないバックアップ中継装置として動作させるか、を決定するステップと、
前記中継装置を前記マスタ中継装置として動作させると決定され、前記電力状態制御対象の少なくとも一つの電力状態が変更された場合、前記バックアップ中継装置となる前記他の中継装置の電力状態を変更させるために、前記変更後の電力状態制御対象の転送性能を含む転送性能通知を前記他の中継装置に送信するステップと、を含むことを特徴とする中継装置の電力状態の制御方法。
【手続補正２】
【補正対象書類名】明細書
【補正対象項目名】００１０
【補正方法】変更
【補正の内容】
【００１０】
本発明の代表的な一例を示せば、ネットワークに接続され、少なくとも一つの他の中継装置との間で前記ネットワークを冗長化する中継装置において、前記ネットワークとの間でパケットを送受信する複数のネットワークインタフェース部と、前記ネットワークインタフェース部のいずれかが受信したパケットの中継先を決定し、前記ネットワークインタフェース部のいずれかへ前記パケットを転送するパケット転送部と、前記冗長化の関係を管理する冗長化管理テーブルと、前記ネットワークの冗長化に用いる冗長化プロトコルを管理するプロトコル制御部と、前記ネットワークインタフェース部及び前記パケット転送部のうち少なくとも一の電力状態を制御する電力状態制御部と、を備え、前記ネットワークインタフェース部及び前記パケット転送部の少なくとも一方は、消費電力が異なる複数の電力状態に制御可能な電力状態制御対象であり、前記消費電力が大きいほど転送性能が大きく、前記消費電力が小さいほど前記転送性能が小さく、前記プロトコル制御部は、前記冗長化管理テーブルを参照し、前記中継装置を、実際に前記パケットを中継するマスタ中継装置として動作させるか、前記パケットを中継しないバックアップ中継装置として動作させるか、を決定し、前記電力状態制御部は、前記中継装置を前記マスタ中継装置として動作させると決定され、前記電力状態制御対象の少なくとも一つの電力状態が変更された場合、前記バックアップ中継装置となる前記他の中継装置の電力状態を変更させるために、前記変更後の電力状態制御対象の転送性能を含む転送性能通知を前記他の中継装置に送信し、前記電力状態制御部は、前記中継装置が前記バックアップ中継装置として動作すると決定され、前記マスタ中継装置となる他の中継装置から前記転送性能通知を受信した場合、前記受信した転送性能通知に含まれる前記転送性能を満たすように、前記電力状態制御対象の電力状態を変更することを特徴とする。
【手続補正３】
【補正対象書類名】明細書
【補正対象項目名】００５８
【補正方法】変更
【補正の内容】
【００５８】
電力状態４２２には、ネットワークインタフェース部６０に設定可能な全ての電力状態が登録される。転送性能４２４には、各電力状態におけるネットワークインタフェース部６０の転送性能が登録される。
【手続補正４】
【補正対象書類名】明細書
【補正対象項目名】００８２
【補正方法】変更
【補正の内容】
【００８２】
次に、プロトコル制御部３０は、ＶＲＲＰ管理テーブル３００を参照し、自身を有するパケット中継装置１０に設定された仮想ルータのうちマスタ仮想ルータとして動作する仮想ルータの数を算出する（Ｓ１０２）。プロトコル制御部３０は、自身を有するパケット中継装置１０に設定された全ての仮想ルータの数からマスタ仮想ルータの数を減算することによって、当該パケット中継装置１０に設定されたバックアップ仮想ルータの数を算出できる。
【手続補正５】
【補正対象書類名】明細書
【補正対象項目名】０１１９
【補正方法】変更
【補正の内容】
【０１１９】
一方、Ｓ１２２の処理で、受信したＶＲＲＰパケットのタイプ９０４に「１」が格納されていないと判定された場合（Ｓ１２２：Ｎｏ）、つまり、タイプ９０４に「２」が格納されている場合、電力制御部４０は、受信したＶＲＲＰパケットのパケット転送部転送性能９１８に格納された転送性能及びネットワークインタフェース部転送性能９２２に格納された転送性能を満たすように、パケット転送部５０及びネットワークインタフェース部６０の電力状態を決定する電力状態決定処理を実行する（Ｓ１２３）。電力状態決定処理は、図１３で詳細を説明する。